(57)【要約】【課題】  部品点数をできるだけ少なくすると共に、異音が発生することを防止する。【解決手段】  本発明のスイッチ装置は、回動可能なシーソノブ２６とこのシーソノブ２６により押圧操作される２個のプッシュスイッチ２３、２４とを備えると共に、シーソノブ２６と２個のプッシュスイッチ２３、２４との間に配置され且つシーソノブ２６の回動支点よりも下方の回動支点の周りに回動可能に設けられシーソノブ２６の操作力をプッシュスイッチ２３、２４に伝達するシーソ部材２８を備え、更に、シーソ部材２８の両端部の上面部に、シーソノブ２６の下面部に常時当接するばね片部２８ｄ、２８ｅを設けるように構成したものである。【選択図】  図１
2005032678.tif 000002
【特許請求の範囲】
【請求項１】
中間部分に回動支点が設けられた回動可能なシーソノブと、
前記シーソノブの両端部の下方に設けられ、前記シーソノブにより押圧操作される２個のプッシュスイッチと、
前記シーソノブと前記２個のプッシュスイッチとの間に配置されると共に、前記シーソノブの回動支点よりも下方の回動支点の周りに回動可能に設けられ、前記シーソノブの操作力を前記プッシュスイッチに伝達するシーソ部材と、
前記シーソ部材の両端部の上面部に設けられ、前記シーソノブの下面部に常時当接するばね手段とを備えてなるスイッチ装置。
【請求項２】
前記ばね手段は、前記シーソ部材に一体に設けられたばね片部で構成されていることを特徴とする請求項１記載のスイッチ装置。
【発明の詳細な説明】
【技術分野】
【０００１】
本発明は、使用者の手指等により操作されるシーソノブを備えたスイッチ装置に関するものである。
【背景技術】
【０００２】
この種のスイッチ装置の一例を、図３及び図４に示す。このスイッチ装置１は、図３に示すように、基板２上に設けられた２個のプッシュスイッチ３、４と、回動支点５の周りに回動可能に設けられたシーソノブ６とを備えている。シーソノブ６の下面部に設けられた押圧凸部６ａ、６ｂとプッシュスイッチ３、４との間には、スライドピン７、８が設けられている。
【０００３】
これらスライドピン７、８は、ガイド部材９により上下動可能に支持されていると共に、板ばね１０により上方へ付勢されている。これにより、スライドピン７、８は、シーソノブ６の押圧凸部６ａ、６ｂに常時接触するように構成されている。尚、スイッチ装置１の外郭は、ケース１１で構成されている。
上記構成のスイッチ装置１の場合、シーソノブ６の上面部の右端部を手指で下方へ押すと、図４に示すように、シーソノブ６の押圧凸部６ａがスライドピン７を押し、このスライドピン７がプッシュスイッチ３を押圧操作するようになっている。そして、シーソノブ６の右端部から手指を離すと、プッシュスイッチ３の復元力により、スライドピン７及びシーソノブ６は元の位置（図３参照）へ戻る。このとき、スライドピン８はシーソノブ６の押圧凸部６ｂに常時接触していることから、異音が発生することが無い（ちなみに、スライドピン８とシーソノブ６の押圧凸部６ｂとの間に隙間があると、異音が発生する）。
【０００４】
尚、本発明に関連する技術構成として下記の特許文献１が知られている。
【特許文献１】特開２００１−２１６８６０号公報
【発明の開示】
【発明が解決しようとする課題】
【０００５】
上記したスイッチ装置１の場合、部品点数が多く、組み付け工数が多くなり、また、製造コストが高くなるという不具合があった。
このような不具合を解消するスイッチ装置として、本発明は、図５及び図６に示すような構成のスイッチ装置１２を開発した。このスイッチ装置１２は、２個のスライドピン７、８の代わりに１個のシーソ部材１３を用いるように構成したものである。このシーソ部材１３は、シーソノブ６とプッシュスイッチ３、４との間に配置されていると共に、基板２上に設けられた支持部材１４により回動可能に指示されている。この場合、シーソ部材１３の回動支点は、シーソノブ６の回動支点５よりも下方になっている。
【０００６】
そして、上記スイッチ装置１２の場合、シーソノブ６の右端部を手指で下方へ押すと、図６に示すように、シーソノブ６の押圧凸部６ａがシーソ部材１３を押し、このシーソ部材１３がプッシュスイッチ３を押圧操作するように構成されている。この場合、シーソ部材１３は、シーソノブ６の操作力をプッシュスイッチ３に伝達する。更に、シーソノブ６の右端部から手指を離すと、プッシュスイッチ３の復元力により、シーソ部材１３及びシーソノブ６は元の位置（図５参照）へ戻る。
【０００７】
このとき、異音が発生する。というのは、シーソノブ６の右端部を手指で下方へ押したときに、図６に示すように、シーソ部材１３の左端部の上面部とシーソノブ６の押圧凸部６ｂとの間に隙間があるためである。
本発明の目的は、部品点数をできるだけ少なくしながら、異音が発生することを防止できるスイッチ装置を提供するにある。
【課題を解決するための手段】
【０００８】
本発明のスイッチ装置は、中間部分に回動支点が設けられた回動可能なシーソノブを備え、このシーソノブの両端部の下方に設けられシーソノブにより押圧操作される２個のプッシュスイッチを備え、前記シーソノブと前記２個のプッシュスイッチとの間に配置されると共に前記シーソノブの回動支点よりも下方の回動支点の周りに回動可能に設けられ前記シーソノブの操作力を前記プッシュスイッチに伝達するシーソ部材を備え、そして、前記シーソ部材の両端部の上面部に、前記シーソノブの下面部に常時当接するばね手段を設けるように構成したものである。
【０００９】
このような構成のスイッチ装置の場合、スライドピンに代えてシーソ部材を使用したので、部品点数を少なくすることができる。そして、シーソ部材の両端部の上面部に設けたばね手段を、シーソノブの下面部に常時当接させるように構成したので、異音が発生することを防止できる。
また、上記構成の場合、前記ばね手段を、前記シーソ部材に一体に設けたばね片部で構成することが好ましい。
【発明を実施するための最良の形態】
【００１０】
以下、本発明の一実施例について、図１及び図２を参照しながら説明する。まず、図１に示すように、スイッチ装置２１は、基板２２と、基板２２上に設けられた２個のプッシュスイッチ２３、２４と、回動支点２５の周りに回動可能に設けられたシーソノブ２６と、回動支点２５よりも下方の回動支点２７の周りに回動可能に設けられたシーソ部材２８とを備えている。
【００１１】
上記シーソ部材２８は、全体として棒状をなし、その中間部分の肉厚部の下面部に溝部２８ａが形成され、両端部の下面部に押圧凸部２８ｂ、２８ｃが形成され、両端部の上面部にばね片部（ばね手段）２８ｄ、２８ｅが一体に形成されている。尚、シーソ部材２８は、例えばポリアセタード（ＰＯＭ）で形成されている。
そして、シーソ部材２８は、基板２２上におけるプッシュスイッチ２３、２４の中間部位に設けられた支持部材２９の支持凸部２９ａにシーソ部材２８の溝部２８ａを嵌合させることにより、回動可能に支持されている。この場合、シーソ部材２８の回動支点２７は、シーソノブ２６の回動支点２５よりも下方になるように構成されている。そして、シーソ部材２８は、シーソノブ２６とプッシュスイッチ２３、２４との間に配置されるように構成されている。
【００１２】
また、シーソノブ２６の両側壁部の中間部位には、軸部２６ａ（一方のみ図示）が突設されており、この軸部２６ａを支持部材（図示しない）に形成された軸受部に回動可能に嵌合させるように構成している。これにより、シーソノブ２６は回動支点２５の周りに回動可能な構成となっている。そして、シーソノブ２６の両端部の下面部には、シーソ部材２８の両端部の上面部を押圧する押圧凸部２６ｂ、２６ｃが突設されている。
【００１３】
上記構成のスイッチ装置２１においては、図１に示すように、シーソ部材２８の上にシーソノブ２６を載せるようにして組み付けた状態では、シーソ部材２８のばね片部２８ｄ、２８ｅの先端部がシーソノブ２６の下面部に常時当接するように構成されている。そして、図２に示すように、シーソノブ２６（シーソ部材２８）を右回り方向（または左回り方向）に回動させたときでも、シーソ部材２８のばね片部２８ｄ、２８ｅの先端部はシーソノブ２６の下面部に当接するように構成されている。
【００１４】
尚、スイッチ装置２１の外郭は、例えばポリカーボネート（ＰＣ）製のケース３０で構成されている。
次に、上記構成のスイッチ装置２１の動作について説明する。シーソノブ２６の右端部を手指で下方へ押すと、図２に示すように、シーソノブ２６の押圧凸部２６ｂがシーソ部材２８を押し、このシーソ部材２８が回動する。これにより、シーソ部材２８の押圧部２２８ｂがプッシュスイッチ２３を押圧操作する。
【００１５】
そして、シーソノブ２６の右端部から手指を離すと、プッシュスイッチ２３の復元力により、シーソ部材２８及びシーソノブ２６は元の位置（図１参照）へ戻る。このとき、シーソ部材２８のばね片部２８ｄ、２８ｅがシーソノブ２６の下面部に常時接触していることから、従来構成（図５及び図６参照）とは異なり、異音が発生することが無くなる。
また、上記実施例のスイッチ装置２１の場合、２個のスライドピンの代わりに１個のシーソ部材２８を使用する構成であるので、部品点数を少なくすることができ、組み付け工数が少なくなると共に、製造コストを安くすることができる。特に、上記実施例の場合、シーソ部材２８にばね片部２８ｄ、２８ｅを一体に形成したので、部品点数をより一層少なくすることができる。
【００１６】
尚、上記実施例においては、シーソ部材２８にばね片部２８ｄ、２８ｅを一体に形成したが、これに代えて、シーソ部材２８とシーソノブ２６との間に別体のばねを配設するように構成しても良い。この別体のばねとしては、図３及び図４に示すような板ばねでも良いし、他の形状の板ばねやコイルばね等でも良い。
ところで、従来構成として説明した図５及び図６に示すスイッチ装置１の場合、異音が発生するが、本発明のばね手段（ばね片部２８ｄ、２８ｅ）を使用せずに、異音をなくす方法があることはある。この方法について、具体的に説明すると、図６に示すように、シーソノブ６の右端部を手指で下方へ押すと、シーソ部材１３の左端部の上面部とシーソノブ６の押圧凸部６ｂとの間に隙間ができるが、この隙間をできるだけ小さくするように構成すれば良い。
【００１７】
そして、上記隙間を小さくする方法としては、シーソノブ６の押圧凸部６ａ、６ｂの突出高さを高くするように調整する方法がある。この調整方法を実行することにより、上記隙間をできるだけ小さく、すなわち、異音が発生しなくなるまで小さくすることができる。しかし、上記調整を完了するまでには、かなり長い時間を要すると共に、スイッチ装置１を構成する核部品の寸法精度を高くしたり、組み付け精度を高くしたりする必要もあり、大変面倒な方法であり、容易なことではなかった。
【００１８】
これに対して、上記実施例によれば、部品点数を少なくすることができると共に、異音の発生を容易に防止することができる。
【図面の簡単な説明】
【００１９】
【図１】本発明の一実施例を示すスイッチ装置の縦断面図
【図２】シーソノブを操作した状態のスイッチ装置の縦断面図
【図３】従来構成の図１相当図
【図４】図２相当図
【図５】異なる従来構成の図１相当図
【図６】図２相当図
【符号の説明】
【００２０】
図面中、２１はスイッチ装置、２２は基板、２３はプッシュスイッチ、２４はプッシュスイッチ、２５は回動支点、２６はシーソノブ、２７は回動支点、２８はシーソ部材、２８ｄ、２８ｅはばね片部（ばね手段）、２９は支持部材を示す。
【図１】
2005032678.tif 000003
【図２】
2005032678.tif 000004
【図３】
2005032678.tif 000005
【図４】
2005032678.tif 000006
【図５】
2005032678.tif 000007
【図６】
2005032678.tif 000008